(57)【特許請求の範囲】
【請求項１】
天板、側壁及び底部を有する収納ボックスであって、
側壁の１つは、底部と接続している端部を軸に回動し、且つ、当該軸とは反対側の端部と前記天板の端部との間の空隙を広げたり閉じたりすることで開閉する開閉扉であり、
前記開閉扉である側壁の前記軸とは反対の端部側に設けられた第１止着部と、当該開閉扉である側壁とは異なる位置に設けられた第２止着部とを接触させることで、前記開閉扉を閉じた状態で止着させるようになっており、
前記天板は、前記開閉扉である側壁の側の端部に、前記側壁の面方向に沿って設けられた前耳部を備え、
前記天板は、前記開閉扉である側壁に隣接する２つの側壁側の端部のそれぞれに、当該２つの側壁の面方向に沿って設けられた横耳部を備え、
当該横耳部は、前記２つの側壁の外側に重なるように設けられ、且つ、前記前耳部と連続して設けられており、
前記第１止着部及び前記第２止着部は、前記前耳部の、収納ボックスの外側を向いた面と、前記開閉扉である側壁における収納ボックスの内側を向いた面とを、前記開閉扉を閉じた状態で止着させるようになっていることを特徴とする収納ボックス。
【請求項２】
前記天板は、前記開閉扉である側壁に対向する側壁と接続している端部を軸に回動し、且つ、当該軸とは反対側の端部と前記開閉扉である側壁の端部との間の空隙を広げたり閉じたりすることで開閉する開閉扉であることを特徴とする請求項１に記載の収納ボックス。
【請求項３】
前記開閉扉である側壁に隣接する２つの側壁及び前記天板のそれぞれにおける、前記開閉扉である側壁の側の端部に沿って連続して形成された支持部材を、内部にさらに備え、
前記第２止着部は、前記支持部材の前記天板側の端部側に設けられていることを特徴とする請求項１に記載の収納ボックス。
【発明の詳細な説明】
【技術分野】
【０００１】
本発明は、収納ボックスに関する。
【背景技術】
【０００２】
複数のボックスを積み重ねて使用し、積み重ねた状態で開閉可能な収納ボックスとして、特許文献１の技術が知られている。特許文献１に記載された収納ボックスは、フタを下から上に開き、下段の収納ボックスのフタを、上段の収納ボックスのフタに磁石により固定して、下段の収納ボックスを開いた状態に維持するようになっている。
【先行技術文献】
【特許文献】
【０００３】
【特許文献１】実用新案登録第３２００２２９号（２０１５年９月９日公開）
【発明の概要】
【発明が解決しようとする課題】
【０００４】
しかしながら、特許文献１に記載された収納ボックスは、例えば、高い場所に置いて使用する場合などには、フタを下から上に開きにくく、使用しづらい。また、複数を積み重ねて使用しない場合、フタを開いた状態に維持するためには、使用者がフタを手で押さえておく必要があり、中の物を取り出す際に両手を使用することができない。
【０００５】
本発明は、前記の問題点に鑑みてなされたものであり、その目的は、開閉しやすく、かつ開いた状態を維持しやすい収納ボックスを実現することにある。
【課題を解決するための手段】
【０００６】
上記の課題を解決するために、本発明に係る収納ボックスは、天板、側壁及び底部を有する収納ボックスであって、側壁の１つは、底部と接続している端部を軸に回動し、且つ、当該軸とは反対側の端部と前記天板の端部との間の空隙を広げたり閉じたりすることで開閉する開閉扉であり、前記開閉扉である側壁の前記軸とは反対の端部側に設けられた第１止着部と、当該開閉扉である側壁とは異なる位置に設けられた第２止着部とを接触させることで、前記開閉扉を閉じた状態で止着させるようになっていることを特徴としている。
【発明の効果】
【０００７】
本発明は、側壁の１つが、底部と接続している端部を軸に回動し、且つ、当該軸とは反対側の端部と前記天板の端部との間の空隙を広げたり閉じたりすることで開閉するので、例えば、高い場所において使用する場合でも使用しやすく、かつ、使用者が側壁を手で押さえなくても開いた状態を維持することができるという効果を奏する。
【図面の簡単な説明】
【０００８】
【図１】本発明の一実施形態に係る収納ボックスの側壁が開いた状態を示す概略斜視図である。
【図２】本発明の一実施形態に係る収納ボックスの側壁が閉じた状態を示す概略斜視図である。
【図３】本発明の一実施形態に係る収納ボックスの天板が開いた状態を示す概略斜視図である。
【図４】本発明の他の実施形態に係る収納ボックスの側壁が開いた状態を示す概略斜視図である。
【発明を実施するための形態】
【０００９】
〔第１実施形態〕
本発明の第１実施形態について、図１〜３を参照して説明する。図１は、本発明の一実施形態に係る収納ボックスの側壁が開いた状態を示す概略斜視図であり、図２は、本発明の一実施形態に係る収納ボックスの側壁が閉じた状態を示す概略斜視図であり、図３は、本発明の一実施形態に係る収納ボックスの天板が開いた状態を示す概略斜視図である。
【００１０】
図１〜３に示すように、収納ボックス１は、天板２、側壁３、４及び底部５を有している。収納ボックス１は、４つの側壁のうちの１つである側壁３を開閉することにより、内部に収納する物を出し入れするようになっている。
【００１１】
側壁３は、底部５と接続している端部３ａを軸に回動するようになっている。側壁３は、底部５にのみ接続されており、隣接する２つの側壁４及び天板２には接続されていない。側壁３は、端部３ａを軸として回動することにより、端部３ａとは反対側の端部３ｂと天板２の端部との間の空隙を広げたり閉じたりするようになっている。これにより、側壁３が開閉し、収納ボックス１の開閉扉として機能する。側壁３と天板２の端部との間は、側壁３を閉じているときには空隙がないように密着していることが好ましいが、内部に収納した物が外に出ない程度の空隙があってもよい。
【００１２】
側壁３の端部３ｂ側には、天板２の端部と密着した状態を維持するために、第１止着部６が設けられている。そして、第１止着部６を、側壁３とは異なる位置に設けられた第２止着部７に接触させることで、側壁３の端部３ｂを天板２の端部に密着させ、側壁３を閉じた状態で止着する。本実施形態において、第２止着部７は、天板２の端部に設けられた前耳部２ａに設けられている。
【００１３】
第１止着部６及び第２止着部７は、一対で設けられ、すなわち、側壁３の端部３ａが天板２の端部と密着したときに、互いに対向する位置に設けられている。側壁３を閉じるとき、第１止着部６と第２止着部７とを接触させることで、側壁３を天板２の端部に止着する。また、側壁３を開くとき、側壁３の端部３ｂが天板２の端部から離れる方向に側壁３を引っ張ることで、第１止着部６と第２止着部７とを分離し、側壁３を天板２の端部から開放する。
【００１４】
第１止着部６及び第２止着部７は、例えば、磁石、面ファスナー、スナップボタン等により構成することができる。本実施形態においては、第１止着部６及び第２止着部７として、磁石を用い、それぞれ異なる極の磁石を側壁３の内側及び天板２の前耳部２ａの外側に設けた上で、側壁３及び天板２の前耳部２ａに布帛をかぶせており、側壁３を開閉しても外から磁石が見えなくなっている。
【００１５】
側壁３の外側には、側壁３を外側に引っ張るためのつまみ３ｃが形成されている。つまみ３ｃは、指を引っ掛けるためのはと目が設けられたベロや、指を引っ掛ける空間が形成されるように取り付けられたロープ等で構成することができる。また、側壁３に指を引っ掛けるための穴を形成してもよい。
【００１６】
天板２は、側壁３に対向する側壁に接続する端部２ｃを有しており、端部２ｃを軸として回動するようになっている。天板２は、側壁３に対向する側壁にのみ接続されており、隣接する他の側壁には接続されていない。天板２は、端部２ｃを軸として回動することによって、端部２ｃとは反対側の端部と側壁３の端部３ｂとの間の空隙を広げたり閉じたりするようになっている。これにより、天板２が開閉し、収納ボックス１のもう１つの開閉扉として機能する。
【００１７】
また、側壁３には、側壁３を閉じた状態で容易に開かないようにするために、連結部材９がさらに設けられている。連結部材９は、例えば面ファスナーにより形成することができ、側壁３を閉じた状態で隣接する側壁４に貼り付ける。これにより、天板２を開閉して使用する場合等に、収納した物の重みで側壁３が開くことを防ぎ、また、誤って側壁３を外側に引っ張っても側壁３が開かないようにすることができる。
【００１８】
天板２は、側壁３の側の端部に、側壁３の面方向に沿って設けられた前耳部２ａを備えている。また、天板２は、側壁３に隣接する２つの側壁４側の端部のそれぞれに、当該２つの側壁４の面方向に沿って設けられた横耳部２ｂを備えている。前耳部２ａと２つの横耳部２ｂとは連続して設けられている。
【００１９】
天板２が閉じているとき、天板２の２つの横耳部２ｂが、それぞれ、２つの側壁４の外側に重なり、天板２の一部が側壁４に被さるようになっている。これにより、例えば、天板２の上にもう１つ収納ボックスを重ねて使用する場合のように、天板２を上から押さえるような力が働いたとしても、天板２が内側に抜けることがない。そのため、収納ボックス１の強度を上げることができ、また、収納ボックス１の形状を維持することができる。
【００２０】
また、天板２が閉じているとき、前耳部２ａの内側は空洞であるが、２つの横耳部２ｂのそれぞれと連続するように設けられているため、前耳部２ａが内側に入り込むことを防ぐことができる。これにより、側壁３を閉じて前耳部２ａに重ねたときに、第１止着部６と第２止着部７とを好適に接触させることができる。
【００２１】
横耳部２ｂの内側及び側壁４の横耳部２ｂが重なる部分には、横耳部２ｂと側壁４とを密着させる接着部材が設けられていてもよい。このような接着部材として、例えば、面ファスナー、磁石等を用いることができる。
【００２２】
また、収納ボックス１は、側壁３に隣接する２つの側壁４及び天板２のそれぞれにおける、側壁３の側の端部に沿って連続して形成された支持部材８を内部に備えている。すなわち、支持部材８は、側壁３を開いたときの収納ボックス１の開口部に沿って設けられた支柱であり得る。支持部材８により、収納ボックス１の強度を上げ、また、側壁３を開いたときの開口部の形状を維持することができる。
【００２３】
支持部材８は、例えば金属製の棒状部材を、開口部に沿うように折り曲げることにより形成することができる。支持部材８の底部５側の両端部分は、支持部材８の一部が底部５に沿うように折り曲げられており、この折り曲げられた部分を軸として、支持部材８が回動可能なように底部５上に取り付けられている。これにより、支持部材８を回動して底部５上に横たわらせれば、収納ボックス１を折り畳む際に支持部材８が邪魔にならず、また、支持部材８を回動して立ち上げることで、収納ボックス１を容易に組み立てることができる。
【００２４】
支持部材８の回動する部分は、収納ボックス１の内部への物の出し入れを妨げたり、収納した物を傷つけたりすることを防ぐために、布帛等で覆われていることが好ましい。また、支持部材８を立ち上げた状態を維持するために、例えば面ファスナーのような連結部材が側壁４に設けられていてもよい。
【００２５】
側壁４の外側には、収納ボックス１を持ち運ぶための取っ手が設けられている。また、側壁４は、底部５側の端部を軸として回動するようになっている。そして、側壁４は、その中央近傍が内側に折り曲がるようになっていてもよく、側壁４を内側に折り曲げながら端部を軸として回動させ、底部５上に被せることで、収納ボックス１を折り畳むことができる。
【００２６】
底部５は、４つの側壁全てに接続されている。底部５の上面、すなわち、収納ボックス１に収納される物に接触する面は、物の出し入れを容易にするために、すべりのよい素材により構成されていることが好ましい。
【００２７】
収納ボックス１は、上下に重ねて使用することができる。収納ボックス１は、側壁３に対向する側壁に、上下に積み重ねた収納ボックス１同士を連結する連結部材がさらに設けられていてもよい。このような連結部材として、例えば面ファスナーを使用することができる。面ファスナーを、側壁３に対向する側壁の下端部と上端部とで対になるように設け、下側の収納ボックス１の上端部の面ファスナーを、上側の収納ボックス１の下端部の面ファスナーに貼り付けるようにしてもよい。これにより、上下に積み重ねた収納ボックス１の位置ずれを防止することができる。
【００２８】
収納ボックス１は、例えば、側壁、天板、及び底部のそれぞれを、布帛でカバーされた繊維板により形成し、布帛部分を箱形状に連結することで形成することができる。
【００２９】
なお、図１は、収納ボックス１を床に置いて側壁３を開いた状態を示しており、開いた側壁３は床の上で止まり、側壁３と側壁４とが略垂直な状態になっている。また、例えば、収納ボックス１を棚の上に置いた場合には、開いた側壁３が途中で止まらず、完全に開いて鉛直方向に垂れ下がる。したがって、例えば、収納ボックス１を高い位置にある棚の上に置いて使用するような場合にも、開いた側壁３が物の出し入れの邪魔にならない。また、側壁３は、重力により鉛直方向に垂れ下がるか、床等の上で止まるため、側壁３が開いた状態を維持するために、手で押さえる必要がない。
【００３０】
〔第２実施形態〕
本発明の第２実施形態について、図４を参照して説明する。図４は、本発明の他の実施形態に係る収納ボックスの側壁が開いた状態を示す概略斜視図である。図４に示すように、収納ボックス１０は、第２止着部１１が、支持部材８に設けられている点において、第１実施形態の収納ボックス１とは異なっている。
【００３１】
第２止着部１１は、側壁３の端部３ａが天板２の端部と密着したときに、第１止着部６に対向する位置に設けられていればよく、例えば、支持部材８の天板２側の端部側の２つの角部に設けられている。また、第２止着部１１は、支持部材８に一体形成されていてもよい。
【００３２】
〔付記事項〕
本発明を以下のように表現することもできる。
【００３３】
本発明に係る収納ボックスは、天板、側壁及び底部を有する収納ボックスであって、側壁の１つは、底部と接続している端部を軸に回動し、且つ、当該軸とは反対側の端部と前記天板の端部との間の空隙を広げたり閉じたりすることで開閉する開閉扉であり、前記開閉扉である側壁の前記軸とは反対の端部側に設けられた第１止着部と、当該開閉扉である側壁とは異なる位置に設けられた第２止着部とを接触させることで、前記開閉扉を閉じた状態で止着させるようになっている。
【００３４】
上記の構成によれば、開閉扉である側壁を、底部と接続している端部を軸に回動して上から下に開くので、例えば、高い場所において使用する場合でも使用しやすく、かつ、使用者が側壁を手で押さえなくても開いた状態を維持することができる。
【００３５】
また、本発明に係る収納ボックスにおいて、前記天板は、前記開閉扉である側壁側の端部に、前記開閉扉である側壁の面方向に沿って設けられた前耳部を備え、前記第２止着部は、前記前耳部に設けられていてもよい。
【００３６】
上記の構成によれば、天板の前耳部と側壁との間の空隙を広げたり閉じたりすることにより、開閉扉を容易に開閉することができる。
【００３７】
さらに、本発明に係る収納ボックスにおいて、前記天板は、前記開閉扉である側壁に隣接する２つの側壁側の端部のそれぞれに、当該２つの側壁の面方向に沿って設けられた横耳部を備え、当該横耳部は、前記２つの側壁の外側に重なるように設けられ、且つ、前記前耳部と連続して設けられていてもよい。
【００３８】
上記の構成によれば、天板に設けられた横耳部が、開閉しない側壁の外側に重なるので、天板の一部が側壁に被さり、天板が内側に入り込むことを防ぐことができる。これにより、収納ボックスの形状を保つとともに、強度を維持することができる。
【００３９】
また、本発明に係る収納ボックスにおいて、前記天板は、前記開閉扉である側壁に対向する側壁と接続している端部を軸に回動し、且つ、当該軸とは反対側の端部と前記開閉扉である側壁の端部との間の空隙を広げたり閉じたりすることで開閉する開閉扉であってもよい。
【００４０】
上記の構成によれば、天板を開閉して、収納ボックスの上部からも物の出し入れが可能である。
【００４１】
さらに、本発明に係る収納ボックスは、前記開閉扉である側壁に隣接する２つの側壁及び前記天板のそれぞれにおける、前記開閉扉である側壁の側の端部に沿って連続して形成された支持部材を、内部にさらに備え、前記第２止着部は、前記支持部材の前記天板側の端部側に設けられていてもよい。
【００４２】
上記の構成によれば、支持部材により収納ボックスの強度を維持するとともに、当該支持部材を側壁の止着のために利用することができる。
【００４３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００４４】
１、１０  収納ボックス
２        天板
２ａ      前耳部
２ｂ      横耳部
２ｃ      端部（軸）
３        側壁
３ａ      端部（軸）
３ｂ      端部
４        側壁
５        底部
６        第１止着部
７、１１  第２止着部
８        支持部材
【図１】
0006348921.tif 000002
【図２】
0006348921.tif 000003
【図３】
0006348921.tif 000004
【図４】
0006348921.tif 000005